(57)【要約】【課題】作業ムラがなく、また高所での危険作業を要しない空気調和機の洗浄装置を提供する。【解決手段】洗浄装置１０を、天井埋込形空気調和機１の熱交換器３に対応して断面樋状に形成され、上面が開放された環状の洗浄槽１１と、同洗浄槽の底面に具備された超音波発振器１２とで構成し、これに、ポンプ１６と、前記洗浄槽１１とに接続されたホース１７と、洗浄液３０を貯留する洗浄液タンク１５とからなる洗浄液供給部１４を付設する。【選択図】　図１
2004053108.tif 000002
【特許請求の範囲】
【請求項１】
下面が開放された本体と、同本体の中央に設けられたファンモータにより駆動される送風ファンと、同送風ファンを囲繞するように配設された熱交換器と、同熱交換器の下部に着脱自在に設けられた露受皿と、中央に吸込グリルを備え四側周囲に吹出口を形成し、前記本体の下面に着脱自在に装着される化粧パネルとからなる天井埋込形空気調和機であって、
前記熱交換器に対応して、断面樋状に形成され上面が開放された環状の洗浄槽と、同洗浄槽の底面に具備された超音波発振器とで構成され、
前記天井埋込形空気調和機の下面に装着された化粧パネルと前記露受皿を抜脱し、前記本体の下面を開放する一方、洗浄液を満たした前記洗浄槽を前記熱交換器に下方から被せ、前記超音波発振器から超音波で洗浄液に振動を発生させることにより、前記熱交換器を洗浄してなることを特徴とする天井埋込形空気調和機の洗浄装置。
【請求項２】
前記洗浄槽に、ポンプと、洗浄液を貯留する洗浄液タンクとを配管接続してなることを特徴とする請求項１に記載の天井埋込形空気調和機の洗浄装置。
【発明の詳細な説明】
【０００１】
【発明の属する技術分野】
本発明は、天井埋込形空気調和機の洗浄装置に関わり、より詳細には、本体内に備えられた熱交換器の洗浄方法に関する。
【０００２】
【従来の技術】
空気調和機の一種である天井埋込形空気調和機は、図２で示すように、天井面内に埋設される下面が開放されたケース２と、同ケース２の開放された下面に装着され、吸込グリル８を着脱自在に備えた化粧パネル７とで本体を構成している。同化粧パネル７の四側周縁には風向偏向板を備えた吹出口６が設けられ、前記吸込グリル８と前記吹出口６とを結ぶ空気通路には、ファンモータ５により駆動されるターボファン４と、同ターボファン４を囲繞するように、並設された多数のフィンと同フィンに直交するように蛇行状に配設された伝熱管とからなる熱交換器３が設けられている。
【０００３】
前記熱交換器３に付着した塵埃及び粉塵を洗浄する際、例えば、吸込グリル８を備えた前記化粧パネル７を取り外し本体の下方を開放した後、洗浄液を噴出するノズルを本体内に挿入し、前記熱交換器３に洗浄液を吹き付けて洗浄作業を行っていた。
【０００４】
しかしながら、上記した洗浄方法は高所での人手による作業であり、ある程度の危険を伴うとともに所謂作業ムラを生じやすく、また、洗浄液が飛散して本体内に付着してしまうというような問題点があり、改善が求められていた。
【０００５】
【発明が解決しようとする課題】
本発明は上記問題点に鑑み、天井埋込形空気調和機に備えられた熱交換器の洗浄作業を行う際、所謂作業ムラをなくして塵埃の除去等、充分な洗浄作業を行え、且つ作業の危険性を低減できる洗浄装置を提供することを目的とする。
【０００６】
【課題を解決するための手段】
本発明は上記課題を解決するため、下面が開放された本体と、同本体の中央に設けられたファンモータにより駆動される送風ファンと、同送風ファンを囲繞するように配設された熱交換器と、同熱交換器の下部に着脱自在に設けられた露受皿と、中央に吸込グリルを備え四側周囲に吹出口を形成し、前記本体の下面に着脱自在に装着される化粧パネルとからなる天井埋込形空気調和機であって、
前記熱交換器に対応して、断面樋状に形成され上面が開放された環状の洗浄槽と、同洗浄槽の底面に具備された超音波発振器とで構成され、
前記天井埋込形空気調和機の下面に装着された化粧パネルと前記露受皿を抜脱し、前記本体の下面を開放する一方、洗浄液を満たした前記洗浄槽を前記熱交換器に下方から被せ、前記超音波発振器から超音波で洗浄液に振動を発生させることにより、前記熱交換器を洗浄してなる構成となっている。
【０００７】
また、前記洗浄槽に、ポンプと、洗浄液を貯留する洗浄液タンクとを配管接続してなる構成となっている。
【０００８】
【発明の実施の形態】
以下、本発明の実施の形態を、添付図面に基づいた実施例として詳細に説明する。
図１は本発明による洗浄装置と、同洗浄装置により作業が行われる天井埋込形空気調和機を示す断面図である。
図１で示すように、天井埋込形空気調和機１は、下面を開放した本体２と、同本体２内の中央部に収納されたファンモータ５と、同ファンモータ５により駆動される送風ファン４と、同送風ファン４を囲繞するように配設された熱交換器３と、図示はしていないが、前記熱交換器３の下部に着脱自在に設けられた露受皿と、前記本体１の開放された下面に装着される、吸込グリルを開閉自在に備え四側周囲に吹出口を形成した化粧パネルとで構成されている。
【０００９】
室内の空気は、前記化粧パネルに備えられ、裏面にフィルタを備えた吸込グリルから前記本体１内に吸込まれ前記送風ファン４により前記熱交換器３に向かい吹き出される。同熱交換器３は、平行して並べられた多数のフィンと、同フィンに直交するように蛇行状に配設された伝熱管とからなり、同伝熱管内を流動する冷媒ガスにより同熱交換器３を通過する空気は熱交換されるようになっている。熱交換された空気は前記化粧パネルに形成された吹出口から再び室内に送出されるようになっている。
【００１０】
前記吸込グリルから吸込まれた室内の空気は、同吸込グリルの裏面に備えられたフィルタにより塵埃を除去されるが、微粒子の少量の塵埃は捕捉されることなく前記フィルタを通過してしまい、長期間の運転を経て前記熱交換器３を構成するフィンの表面あるいは伝熱管の表面に蓄積されてしまう。塵埃が蓄積されると熱交換効率が減少し冷暖房運転に影響を与えることとなる。これを除去するため以下に述べる洗浄装置１０が用いられる。
【００１１】
洗浄装置１０は、図１で示すように、断面樋状に形成され、前記熱交換器３に対応して上面が開放された環状の洗浄槽１１と、同洗浄槽１１の底面に具備された超音波発振器１２とで構成され、前記洗浄槽１１は底板１０ａに載置固定されるようになっている。更に前記洗浄槽１１に洗浄液を供給する洗浄液供給部１４が前記洗浄装置１０に付設されるようになっており、同洗浄液供給部１４は、洗浄液を貯留する洗浄液タンク１５と、同洗浄液タンク１５から洗浄液を吸い上げ、前記洗浄槽１１に接続されたホース１７を介して同洗浄槽１１に洗浄液を供給するポンプ１６とからなっている。
【００１２】
次に、前記熱交換器３の洗浄手順について説明する。まず、図１で示すように、天井埋込形空気調和機１の下面から化粧パネルと、前記熱交換器３の下部に設けられた露受皿を取り外す。次に、昇降可能な脚立１８に前記洗浄槽１１を固定した前記底板１０ａを載置し、これを上昇させて前記洗浄槽１１を前記熱交換器３に下方向から被せるようにする。続いて前記ポンプ１６を駆動させ、前記洗浄液タンク１５から洗浄液３０を吸引するとともに、ホース１７を介して前記洗浄槽１１に供給する。これにより前記熱交換器３の表面は洗浄液３０に上部近傍まで浸ることとなる。この状態で前記洗浄槽１１の底面に具備された前記超音波発振器１２を起動させると、超音波により洗浄液３０に振動が発生し、前記熱交換器３のフィンあるいは伝熱管の表面に付着した塵埃が振動の作用と洗浄液３０との作用により除去されるようになっている。これにより熱交換器３は清浄な状態に復元されるようになっている。
【００１３】
洗浄作業が完了したら、前記洗浄槽１１内の洗浄液３０を前記洗浄液タンク１５に回収する一方、前記脚立１８により前記洗浄装置１０を下降させる。続いて前記露受皿を前記熱交換器３の下部に装着するとともに、前記本体２の下面に化粧パネルを再び装着する。
【００１４】
上記したように、前記熱交換器３を洗浄液に浸し、前記超音波発振器１２の超音波により洗浄液に振動を発生させて清掃作業を行うことにより、所謂人手作業による作業ムラがなく、また高所での危険作業を要しない洗浄作業を行えるようになっている。
【００１５】
【発明の効果】
以上説明したように、本発明によると、天井埋込形空気調和機の化粧パネルを取り外し、本体内に備えられた熱交換器を洗浄槽で覆うとともに洗浄液に浸し、超音波発振器の超音波により洗浄液に振動を発生させることにより、所謂人手作業による作業ムラがなく、また高所での危険作業を要しない清掃作業を行える天井埋込形空気調和機の洗浄装置とすることができる。
【図面の簡単な説明】
【図１】天井埋込形空気調和機と、本発明による洗浄装置を示す断面図である。
【図２】天井埋込形空気調和機を示す断面図である。
【符号の説明】
１　天井埋込形空気調和機
２　本体
３　熱交換器
４　送風ファン
５　ファンモータ
１０　洗浄装置
１０ａ　底板
１１　洗浄槽
１２　超音波発振器
１４　洗浄液供給部
１５　洗浄液タンク
１６　ポンプ
１７　ホース
１８　脚立
【図１】
2004053108.tif 000003
【図２】
2004053108.tif 000004